(57)【特許請求の範囲】
【請求項１】
少なくともＦＡＸ画像データを含む画像データを処理する画像処理装置であって、
画像データを受信する受信手段と、
受信した前記画像データを記憶する記憶手段と、
前記記憶手段に記憶された前記画像データに基づいて、画像を被記録媒体に印刷する印刷手段と、
前記印刷手段により印刷されたＦＡＸ画像データの画像の画質が正常か否かを、ユーザに入力させる入力手段と、
前記入力手段により前記ＦＡＸ画像データの画像の画質が正常であると入力された場合、前記記憶手段に記憶されたＦＡＸ画像データのうち、前記印刷手段により最新に印刷されたＦＡＸ画像データおよび、それ以前に印刷されたＦＡＸ画像データであって前記入力手段による前回の入力以降に印刷した全てのＦＡＸ画像データを少なくとも削除する制御手段とを備えること特徴とする画像処理装置。
【請求項２】
前記入力手段は、前記印刷手段により最新に印刷されたＦＡＸ画像データの画像の画質が正常であるか否かを入力させるものであり、ユーザにより前記ＦＡＸ画像データの画像の画質が入力される前に前記印刷手段により新たなＦＡＸ画像データが印刷された場合、当該新たに印刷されたＦＡＸ画像データの画像の画質が正常か否かをユーザに入力させること特徴とする請求項１に記載の画像処理装置。
【請求項３】
前記入力手段により、前記ＦＡＸ画像データの画像の画質が正常ではないと入力された場合、前記制御手段は、前記記憶手段に記憶されたＦＡＸ画像データのうち、前記印刷手段により最新に印刷されたＦＡＸ画像データおよび、それ以前に印刷されたＦＡＸ画像データであって前記入力手段による前回の入力以降に印刷した全てのＦＡＸ画像データを前記印刷手段により再度印刷するための再印刷データとして前記記憶手段に保持させることを特徴とする請求項１または請求項２に記載の画像処理装置。
【請求項４】
前記制御手段は、前記再印刷データを保持すると、それ以降に印刷したＦＡＸ画像データを、前記入力手段による入力をさせずに前記再印刷データとして保持することを特徴とする請求項３に記載の画像処理装置。
【請求項５】
前記入力手段により、前記ＦＡＸ画像データの画像の画質が正常ではないと入力された累積回数をカウントする計数手段を備え、
前記計数手段によりカウントされた累積回数が予め設定された規定回数以下であって、前記印刷手段により印刷され、既に前記再印刷データとして保持されているＦＡＸ画像データ以外のＦＡＸ画像データが前記記憶手段に複数記憶されている場合、前記制御手段は、当該複数記憶されたＦＡＸ画像データのうち前記印刷手段により最新に印刷された前記ＦＡＸ画像データのみを前記再印刷データとして保持し、前記入力手段は、次に新しく印刷された前記ＦＡＸ画像データの画像の画質をユーザに入力させ、
前記計数手段による累積回数が予め設定された規定回数を超えれば、前記制御手段は、前記記憶手段に記憶されたＦＡＸ画像データのうち、前記印刷手段により印刷されたＦＡＸ画像データであって既に前記再印刷データとして保持されているＦＡＸ画像データ以外の全てのＦＡＸ画像データを前記再印刷データとして保持することを特徴とする請求項３または請求項４に記載の画像処理装置。
【請求項６】
前記入力手段により、前記ＦＡＸ画像データの画像の画質が正常ではないと入力された場合であって、前記印刷手段により印刷され、既に前記再印刷データとして保持されているＦＡＸ画像データ以外のＦＡＸ画像データが前記記憶手段に複数記憶されている場合、前記制御手段は、当該複数記憶されたＦＡＸ画像データのうち前記印刷手段により印刷された最新のＦＡＸ画像データの前に前記ＦＡＸ画像データ以外の画像データの画像を印刷したか否かを判断し、
前記制御手段は、前記ＦＡＸ画像データ以外の画像データの画像を印刷したと判断された場合、当該画像データ以降に印刷された前記ＦＡＸ画像データを前記再印刷データとして保持し、前記入力手段は、当該画像データの画像の直前に印刷された前記ＦＡＸ画像データの画像の画質をユーザに入力させ、
前記制御手段は、前記ＦＡＸ画像データ以外の画像データの画像を印刷していないと判断された場合、前記記憶手段に記憶されたＦＡＸ画像データのうち、前記印刷手段により印刷されたＦＡＸ画像データであって既に前記再印刷データとして保持されているＦＡＸ画像データ以外の全てのＦＡＸ画像データを前記再印刷データとして保持すること特徴とする請求項３ないし請求項５のいずれかに記載の画像処理装置。
【請求項７】
前記制御手段は、当該制御手段により保持された前記再印刷データを削除しないことを特徴とする請求項３ないし請求項６のいずれかに記載の画像処理装置。
【発明の詳細な説明】
【技術分野】
【０００１】
本発明は、画像処理装置に関するものである。
【背景技術】
【０００２】
従来、ＦＡＸ機能つきの複合機において、特許文献１に開示される技術が存在する。特許文献１の複合機は、現像器内のトナー濃度を検出するトナー濃度センサによりトナー濃度の異常を検出した場合、受信したＦＡＸ画像データを記憶部に保存し、そのＦＡＸ画像データを画像形成部により出力した後に、正常に出力がされた否かを確認するメッセージを表示部に表示する。このとき、複合機は、ユーザにより正常に出力されたことが操作部より入力されれば、記憶部に保存しておいたＦＡＸ画像データは不要となるので削除するが、正常に出力されなかった場合にはＦＡＸ画像データは記憶部に記憶する。
【先行技術文献】
【特許文献】
【０００３】
【特許文献１】特許第４２０４７３９号公報
【発明の概要】
【発明が解決しようとする課題】
【０００４】
しかしながら、ＦＡＸ受信は夜中や長期休暇など、長時間放置されている間も行われるため、ユーザが印刷物を受け取る時に大量のＦＡＸ画像データが印刷されていることがある。この場合、従来のＦＡＸ機能つきの複合機によると、１件ずつ印刷されたＦＡＸ画像の画質確認を行い、正常出力か否かを入力することは、ユーザの操作の負担が大きい。
【０００５】
本発明は上記のような事情に基づいて完成されたものであって、印刷されたＦＡＸ画像の画質確認を行う場合にユーザの操作の負担を減少させることができる画像処理装置を提供することを目的とする。
【課題を解決するための手段】
【０００６】
この課題の解決を目的としてなされた本発明の請求項１に記載の画像処理装置は、少なくともＦＡＸ画像データを含む画像データを処理する画像処理装置であって、画像データを受信する受信手段と、受信した前記画像データを記憶する記憶手段と、前記記憶手段に記憶された前記画像データに基づいて、画像を被記録媒体に印刷する印刷手段と、前記印刷手段により印刷されたＦＡＸ画像データの画像の画質が正常か否かを、ユーザに入力させる入力手段と、前記入力手段により前記ＦＡＸ画像データの画像の画質が正常であると入力された場合、前記記憶手段に記憶されたＦＡＸ画像データのうち、前記印刷手段により最新に印刷されたＦＡＸ画像データおよび、それ以前に印刷されたＦＡＸ画像データであって前記入力手段による前回の入力以降に印刷した全てのＦＡＸ画像データを少なくとも削除する制御手段とを備えることを特徴とする。
【０００７】
この構成によれば、入力手段により、印刷されたＦＡＸ画像データの画像の画質が正常であると入力された場合、記憶された全てのＦＡＸ画像データ（少なくとも最新に印刷されたＦＡＸ画像データおよび、それ以前に印刷されたＦＡＸ画像データであって前記入力手段による前回の入力以降に印刷した全てのＦＡＸ画像データ）を削除する。これにより、ユーザが一回の画質確認結果を入力するのみで、記憶したＦＡＸ画像データを一括で削除することができ、ユーザの操作の負担を減少させることが可能となる。
【０００８】
また、本発明の請求項２に記載の画像処理装置は、請求項１に記載の画像処理装置であって、前記入力手段は、前記印刷手段により最新に印刷されたＦＡＸ画像データの画像の画質が正常であるか否かを入力させるものであり、ユーザにより前記ＦＡＸ画像データの画像の画質が入力される前に前記印刷手段により新たなＦＡＸ画像データが印刷された場合、当該新たに印刷されたＦＡＸ画像データの画像の画質が正常か否かをユーザに入力させることを特徴とする。
【０００９】
この構成によれば、入力手段は、ユーザが画質確認結果を入力する前に印刷された最新のＦＡＸ画像データの画像の画質を入力させる。これにより、印刷された画像の画質に対して、ユーザによる入力回数をさらに低減させることが可能となる。
【００１０】
また、本発明の請求項３に記載の画像処理装置は、請求項１または請求項２に記載の画像処理装置であって、前記入力手段により、前記ＦＡＸ画像データの画像の画質が正常ではないと入力された場合、前記制御手段は、前記記憶手段に記憶されたＦＡＸ画像データのうち、前記印刷手段により最新に印刷されたＦＡＸ画像データおよび、それ以前に印刷されたＦＡＸ画像データであって前記入力手段による前回の入力以降に印刷した全てのＦＡＸ画像データを前記印刷手段により再度印刷するための再印刷データとして前記記憶手段に保持させることを特徴とする。
【００１１】
この構成によれば、入力手段により、印刷されたＦＡＸ画像データの画像の画質が正常ではないと入力された場合、記憶された最新に印刷されたＦＡＸ画像データおよび、それ以前に印刷されたＦＡＸ画像データであって前記入力手段による前回の入力以降に印刷した全てのＦＡＸ画像データをそのまま保持する。これにより、ユーザが一回の画質確認結果を入力するのみで、記憶したＦＡＸ画像データを一括で保持することができ、ユーザの操作の負担を減少させることが可能となる。
【００１２】
また、本発明の請求項４に記載の画像処理装置は、請求項３に記載の画像処理装置であって、前記制御手段は、前記再印刷データを保持すると、それ以降に印刷したＦＡＸ画像データを、前記入力手段による入力をさせずに前記再印刷データとして保持することを特徴とする。
【００１３】
この構成によれば、入力手段により、印刷されたＦＡＸ画像データの画像の画質が正常ではないと入力された場合、それ以降の受信したＦＡＸ画像データが印刷された画像は正常ではないことが想定できる。そのため、制御手段は再印刷データを保持すると、それ以降に印刷したＦＡＸ画像データをユーザに画質確認結果を入力させず、再印刷データとして保持する。これにより、印刷された画像の画質に対して、ユーザによる入力回数をさらに低減させることが可能となる。
【００１４】
また、本発明の請求項５に記載の画像処理装置は、請求項３または請求項４に記載の画像処理装置であって、前記入力手段により、前記ＦＡＸ画像データの画像の画質が正常ではないと入力された累積回数をカウントする計数手段を備え、前記計数手段によりカウントされた累積回数が予め設定された規定回数以下であって、前記印刷手段により印刷され、既に前記再印刷データとして保持されているＦＡＸ画像データ以外のＦＡＸ画像データが前記記憶手段に複数記憶されている場合、前記制御手段は、当該複数記憶されたＦＡＸ画像データのうち前記印刷手段により最新に印刷された前記ＦＡＸ画像データのみを前記再印刷データとして保持し、前記入力手段は、次に新しく印刷された前記ＦＡＸ画像データの画像の画質をユーザに入力させ、前記計数手段による累積回数が予め設定された規定回数を超えれば、前記制御手段は、前記記憶手段に記憶されたＦＡＸ画像データのうち、前記印刷手段により印刷されたＦＡＸ画像データであって既に前記再印刷データとして保持されているＦＡＸ画像データ以外の全てのＦＡＸ画像データを前記再印刷データとして保持することを特徴とする。
【００１５】
この構成によれば、印刷手段により印刷され、かつ再印刷データ以外のＦＡＸ画像データが複数記憶されている場合、最新に印刷されたＦＡＸ画像データの画像の画質が正常ではないと入力された場合、それ以前に印刷されたＦＡＸ画像データの画像の画質も正常である可能性が有る。よって、画質が正常ではないと入力された累積回数が規定回数を越えるまで最新に印刷されたＦＡＸ画像データの画像から順に遡ってユーザに画質を入力させ、規定回数を越えると印刷手段により印刷され、かつ再印刷データ以外のＦＡＸ画像データの全てを保持する。これにより、規定回数以内に画質が正常であると入力された場合は、画質が正常ではないと入力されたＦＡＸ画像データのみを保持するので、再印刷が必要なＦＡＸ画像データのみを保持することができる。さらに、画質を入力させる回数は最大でも規定回数＋１に抑えることができる。
【００１６】
また、本発明の請求項６に記載の画像処理装置は、請求項３ないし請求項５のいずれかに記載の画像処理装置であって、前記入力手段により、前記ＦＡＸ画像データの画像の画質が正常ではないと入力された場合であって、前記印刷手段により印刷され、既に前記再印刷データとして保持されているＦＡＸ画像データ以外のＦＡＸ画像データが前記記憶手段に複数記憶されている場合、前記制御手段は、前記ＦＡＸ画像データ以外の画像データの画像を印刷したと判断された場合、当該画像データ以降に印刷された前記ＦＡＸ画像データ７を前記再印刷データとして保持し、前記入力手段は、当該画像データの画像の直前に印刷された前記ＦＡＸ画像データの画像の画質をユーザに入力させ、前記制御手段は、前記ＦＡＸ画像データ以外の画像データの画像を印刷してないと判断された場合、前記記憶手段に記憶されたＦＡＸ画像データのうち、前記印刷手段により印刷されたＦＡＸ画像データであって既に前記再印刷データとして保持されているＦＡＸ画像データ以外の全てのＦＡＸ画像データを前記再印刷データとして保持すること特徴とする。
【００１７】
この構成によれば、複数記憶されたＦＡＸ画像データのうちの最新に印刷されたＦＡＸ画像データの画像の画質が正常ではないと入力された場合であっても、最新に印刷されたＦＡＸ画像データより以前にＦＡＸ画像以外の画像データが印刷された場合は、その前に印刷されたＦＡＸ画像データの画像の画質が正常である可能性がある。よって、当該ＦＡＸ画像以外の画像データより以前に受信したＦＡＸ画像データに対して画質確認を行う必要がある。これにより、再印刷をする必要のあるＦＡＸ画像データのみ保持されるため、記憶手段の容量を効率的に使用することが可能となる。
【００１８】
また、本発明の請求項７に記載の画像処理装置は、請求項３ないし請求項６のいずれかに記載の画像処理装置であって、前記制御手段は、当該制御手段により保持された前記再印刷データを削除しないことを特徴とする。
【００１９】
この構成によれば、再印刷データとして保持されたＦＡＸ画像データを削除対象から除外するので、再印刷データを確実に印刷し直すことが可能となる。
【発明の効果】
【００２０】
本発明の画像処理装置によれば、印刷されたＦＡＸ画像の画質確認を行う場合にユーザの操作の負担を減少させることができる。
【図面の簡単な説明】
【００２１】
【図１】実施形態に係る複合機の電気的構成を示すブロック図。
【図２】制御部の状態遷移を示す状態遷移図。
【図３】ＦＡＸ受信・印刷処理の流れを示すフローチャート。
【図４】実施形態１の画質確認処理の流れを示すフローチャート。
【図５】実施形態２の画質確認処理の流れを示すフローチャート。
【図６】実施形態３の画質確認処理の流れを示すフローチャート。
【発明を実施するための形態】
【００２２】
（実施形態１）
本発明の実施形態１を図１ないし図４によって説明する。
【００２３】
＜複合機の構成＞
図１は、実施形態１に係る複合機１の電気的構成を示すブロック図である。複合機１は、制御部１０、ファクシミリ（ＦＡＸ）部１１、スキャナ部１２、プリンタ部１３、操作部１４、記憶部１５、ＵＳＢインタフェース（ＵＳＢ  Ｉ／Ｆ）１６、ネットワークインタフェース（ＮＷ  Ｉ／Ｆ）１７などを備えて構成されている。
【００２４】
制御部１０は、ＣＰＵ、ＲＯＭ、ＲＡＭなどで構成されている。ＣＰＵはＲＯＭに記憶されている各種のプログラムを実行することによって複合機１の各部を制御する。ＲＯＭはＣＰＵが実行するための各種のプログラムやデータなどを記憶している。ＲＡＭはＣＰＵが各種の処理を実行するための主記憶装置として用いられる。
【００２５】
ＦＡＸ部１１は、ＮＣＵ（Network  Control  Unit）、モデム、これらを制御するＡＳＩＣなどを備えて構成されており、公衆交換電話網を介して外部のＦＡＸ装置との間で画像データをＦＡＸ送受信する。
【００２６】
スキャナ部１２は、原稿を照射する光源、リニアイメージセンサ、光源によって照射された原稿の光学像をリニアイメージセンサに結像させる光学系、原稿とリニアイメージセンサとを相対移動させる搬送機構などを備えて構成されており、原稿を読み取って画像データを生成する。
【００２７】
プリンタ部１３は、画像データが表す画像を紙などの被記憶媒体に電子写真方式で印刷する。
【００２８】
プリンタ部１３には黒色のトナーが収容されているトナーカートリッジが着脱可能に装着され、プリンタ部１３はトナーカートリッジに収容されているトナーを用いて被記録媒体に画像を印刷する（以下「画像データを印刷する」という）。なお、本実施形態ではトナーの色は黒色であるとするが、トナーの色は黒色に限られるものではない。
【００２９】
操作部１４は、ＬＣＤ（Liquid  Crystal  Display）などの表示装置、表示装置の表示面を覆う略透明なタッチパネル、各種の操作ボタンなどを備えて構成されている。ユーザは操作部１４を操作することによって複合機１の機能の選択や各種の設定などを行うことができる。
【００３０】
記憶部１５は、ハードディスクやフラッシュメモリなどの不揮発性のメモリを用いて各種のデータを記憶する装置である。なお、例えば外部のファイルサーバを記憶部１５として用いてもよい。
【００３１】
ＵＳＢ（Universal  Serial  Bus）インタフェース１６は、ＵＳＢホストコントローラ、ＵＳＢポートなどを備えて構成されており、ＵＳＢメモリやＵＳＢハードディスクなどのＵＳＢマスストレージデバイスが接続される。
【００３２】
ネットワークインタフェース１７は、ＬＡＮやインターネットなどの通信ネットワークを介して外部のコンピュータと通信可能に接続されている。
【００３３】
＜複合機の機能＞
複合機１は、ＦＡＸ受信機能、プリント機能、ダイレクトプリント機能、及び、コピー機能を実行可能に構成されている。
【００３４】
ＦＡＸ受信機能は、ＦＡＸ部１１によって外部のＦＡＸ装置から画像データをＦＡＸ受信し、ＦＡＸ画像データ（以下、「ＦＡＸ画像データ」と称する）をプリンタ部１３によって印刷する機能である。
【００３５】
プリント機能は、ネットワークインタフェース１７によって外部のコンピュータから画像データを受信し、受信した画像データをプリンタ部１３によって印刷する機能である。
【００３６】
ダイレクトプリント機能は、ＵＳＢインタフェース１６に接続されているＵＳＢマスストレージデバイスから画像データを読み込み、読み込んだ画像データをプリンタ部１３によって印刷する機能である。
【００３７】
コピー機能は、スキャナ部１２によって原稿を読み取って画像データを生成し、生成した画像データをプリンタ部１３によって印刷する機能である。
【００３８】
上述した各機能において、画像データ（例えばＦＡＸ画像データや外部のコンピュータから受信した画像データなど）は一旦ＲＡＭに記憶され、印刷後にＲＡＭから削除される。
【００３９】
＜トナーカートリッジの消耗度合＞
トナーカートリッジは、トナー収容室、アジテータ、供給ローラ、現像ローラ、層厚規制ブレード（図示せず）などを備えて構成されている。
【００４０】
トナー収容室には、正帯電性の非磁性のトナーが収容されている。
【００４１】
トナーはプリンタ部１３により印刷が行われる毎に使用され、ある一定量以上使用されるとトナーが不足して印刷がかすれ始め、それにより印刷画質が低下し始める。
【００４２】
また、現像ローラも回転が繰り返されることによって徐々に摩耗し、ある一定回転数以上回転すると担持できるトナーの量が少なくなって印刷がかすれ始め、それにより印刷画質が低下し始める。
【００４３】
そこで、制御部１０は、トナーカートリッジが新品に交換されてからのトナー使用量と現像ローラの回転数とからトナーカートリッジの消耗度合を判断する。
【００４４】
本実施形態では、トナーカートリッジが新品に交換されたときからの印刷枚数によってトナー使用量、及び現像ローラの回転数を判断する場合を例に説明する。
【００４５】
印刷がかすれ始めるトナー使用量に達する印刷枚数、及び、印刷がかすれ始める回転数に達する印刷枚数は予め実験によって求められており、複合機１にはそれらのうちいずれか少ない方の枚数が第１の枚数として設定されている。第１の枚数は印刷される画像データのサイズや内容などによって変化し得るが、本実施形態では１２００〜１７００枚の範囲で設定される。
【００４６】
また、トナー使用量が使用限界（トナー残量が０）に達する印刷枚数、及び、現像ローラが使用限界（内容を把握できなくなる程度に印刷がかすれる回転数）に達する印刷枚数も予め実験によって求められており、複合機１にはそれらのうちいずれか少ない方の枚数が第２の枚数として設定されている。第２の枚数も印刷される画像データのサイズや内容などによって変化し得るが、本実施形態では４０００枚とする。
【００４７】
制御部１０は、印刷枚数をカウントし、印刷枚数が第１の枚数未満のときはトナーカートリッジの消耗度合がＲｅａｄｙ状態にあると判断し、第１の枚数以上で且つ第２の枚数未満のときはＲｅｐｌａｃｅ  Ｔｏｎｅｒ状態にあると判断する。次に各状態について詳しく説明する。
【００４８】
＜制御部の状態遷移＞
図２は、制御部１０の状態遷移を示す状態遷移図である。ここではトナーカートリッジの消耗度合の状態も併せて示している。なお、図２は制御部１０の状態遷移を簡略化して示しており、制御部１０の状態は図２に示す遷移の経路とは異なる経路で他の状態に遷移することもあり得る。
【００４９】
「Ｒｅａｄｙ」状態８１は、新品のトナーカートリッジに交換されてから未だ印刷枚数が第１の枚数に達していない状態である。
【００５０】
制御部１０は、新品のトナーカートリッジに交換されると、印刷枚数をカウントするカウンタ変数ｎを０に初期化し、１枚の被記録媒体に画像を印刷する毎にカウンタ変数ｎに１を加算する。このカウントは、ＦＡＸ受信機能、プリント機能、ダイレクトプリント機能、及びコピー機能のいずれによって印刷が行われた場合も対象となる。制御部１０は、カウンタ変数ｎの値が第１の枚数未満であれば「Ｒｅａｄｙ」状態８１であると判断する。
【００５１】
制御部１０は、「Ｒｅａｄｙ」状態８１のときに画像データを受信すると、その画像データをプリンタ部１３に印刷させる。
【００５２】
「Ｒｅａｄｙ」状態８１で印刷を繰り返してカウンタ変数ｎの値が第１の枚数に達すると、制御部１０の状態は「Ｒｅｐｌａｃｅ  Ｔｏｎｅｒ（再印刷用データ無）」状態８２に遷移する。
【００５３】
「Ｒｅｐｌａｃｅ  Ｔｏｎｅｒ（再印刷用データ無）」状態８２は、新品のトナーカートリッジに交換されてからの印刷枚数が第１の枚数以上〜第２の枚数未満の範囲にある状態である。
【００５４】
「Ｒｅｐｌａｃｅ  Ｔｏｎｅｒ（再印刷用データ無）」状態８２に遷移すると、制御部１０は先ず「停止」モード又は「継続」モードを選択させるための図示しないモード選択画面を操作部１４に表示してユーザに何れか一方のモードを選択させる。
【００５５】
ユーザが「停止」モードを選択した場合は、制御部１０は操作部１４にトナーカートリッジの交換を促すメッセージを表示する。そして、トナーカートリッジが交換されるまで全ての画像データの受信を拒否する。または、画像データを印刷させずに記憶部１５に記憶させてもよい。
【００５６】
一方、ユーザが「継続」モードを選択した場合は、制御部１０は「Ｒｅｐｌａｃｅ  Ｔｏｎｅｒ（再印刷用データ無）」状態８２に遷移する。そして、その後も画像データを受信するとプリンタ部１３に印刷を行わせる。ここで、受信した画像データがプリント画像データ、ダイレクトプリント画像データ、またはスキャン画像データの場合は、制御部１０はプリント部１３に印刷を実行させた後、「Ｒｅｐｌａｃｅ  Ｔｏｎｅｒ（再印刷用データ無）」状態８２に遷移する。
【００５７】
また、「Ｒｅｐｌａｃｅ  Ｔｏｎｅｒ（再印刷用データ無）」状態８２でＦＡＸ受信されると、制御部１０の状態は「ＦＡＸ  Ｐｒｉｎｔｉｎｇ」状態８３に遷移する。
【００５８】
「停止」モード及び「継続」モードのいずれが選択された場合も、「Ｒｅｐｌａｃｅ  Ｔｏｎｅｒ（再印刷用データ無）」状態８２でトナーカートリッジが新品に交換されると、制御部１０の状態は「Ｒｅａｄｙ」状態８１に戻る。また、「Ｒｅｐｌａｃｅ  Ｔｏｎｅｒ（再印刷用データ無）」状態８２で印刷を繰り返し、カウンタ変数ｎが第２の枚数に到達すると、トナーカートリッジの交換を促すメッセージを表示する。そして、トナーカートリッジの交換がされると「Ｒｅａｄｙ」状態８１に戻る。
【００５９】
「ＦＡＸ  Ｐｒｉｎｔｉｎｇ」状態８３は、ＦＡＸ画像データを印刷している状態である。
【００６０】
ＦＡＸ画像データの印刷が終了すると、制御部１０は操作部１４に画質確認画面を表示する「画質確認」状態７１に遷移し、印刷した画像データの印刷画質に問題があるか否かをユーザに選択させる。この詳細については後述するが、「画質確認処理」では「画質確認」状態７１において、ユーザにより画質が確認される前にＦＡＸ画像データを受信すると、制御部１０はその受信したＦＡＸ画像データの画像の画質を確認するように画質確認画面を更新して再度「画質確認」状態７１に遷移する。
【００６１】
「画質確認」状態７１において、ユーザは、印刷がかすれていて読み難いなどのように印刷画質に問題があると判断した場合は画質確認画面で「ＮＧ」を選択し、一方、印刷画質に問題がないと判断した場合は「ＯＫ」を選択する。
【００６２】
ユーザが「ＮＧ」を選択すると、制御部１０は、ＦＡＸ画像データを再印刷用データとして記憶部１５に記憶する。記憶部１５に再印刷用データが記憶されると、制御部１０の状態は「Ｒｅｐｌａｃｅ  Ｔｏｎｅｒ（再印刷用データ有）」状態８４に遷移する。
【００６３】
一方、ユーザが「ＯＫ」を選択すると、制御部１０は操作部１４に削除確認画面を表示する「削除確認」状態７２に遷移し、印刷したＦＡＸ画像データを削除するか否かをユーザに指定させる。ユーザはそのＦＡＸ画像データを複合機１から削除してもよい場合は「削除」を選択し、そのＦＡＸ画像データを複合機１に残しておきたい場合は「削除しない」を選択する。
【００６４】
ユーザが「削除」を選択すると、制御部１０は、記憶部１５に記憶されている全ての再印刷用データを削除する。全ての再印刷用データを削除すると、制御部１０の状態は「Ｒｅｐｌａｃｅ  Ｔｏｎｅｒ（再印刷用データ無）」状態８２に戻る。
【００６５】
一方、削除確認画面でユーザが「削除しない」を選択すると、制御部１０は、ＦＡＸ画像データを再印刷用データとして記憶部１５に記憶する。記憶部１５に再印刷用データが記憶されると、制御部１０の状態は「Ｒｅｐｌａｃｅ  Ｔｏｎｅｒ（再印刷用データ有）」状態８４に遷移する。
【００６６】
「削除確認」状態７２において、でユーザが削除確認画面に対して一定時間以内に選択を行わなかった場合には、「Ｔｉｍｅｏｕｔ」として画質確認画面を表示し、「画質確認」状態７２に戻る。
【００６７】
「Ｒｅｐｌａｃｅ  Ｔｏｎｅｒ（再印刷用データ有）」状態８４は、「Ｒｅｐｌａｃｅ  Ｔｏｎｅｒ（再印刷用データ無）」状態８２と同様にカウンタ変数ｎの値が第１の枚数以上で且つ第２の枚数未満の範囲にある状態であるが、少なくとも一つの再印刷用データが記憶部１５に記憶されている点で「Ｒｅｐｌａｃｅ  Ｔｏｎｅｒ（再印刷用データ無）」状態８２と異なる。
【００６８】
「Ｒｅｐｌａｃｅ  Ｔｏｎｅｒ（再印刷用データ有）」状態８４でＦＡＸ画像データを受信すると、制御部１０の状態は「ＦＡＸ  Ｐｒｉｎｔｉｎｇ」状態８３に戻る。
【００６９】
また、「Ｒｅｐｌａｃｅ  Ｔｏｎｅｒ（再印刷用データ有）」状態８４でトナーカートリッジが新品に交換されると、制御部１０の状態は「Ｒｅａｄｙ」状態８１になった後「再印刷用データＰｒｉｎｔｉｎｇ」状態８５に遷移する。
【００７０】
「再印刷用データＰｒｉｎｔｉｎｇ」状態８５は、記憶部１５に記憶されている再印刷用データをプリンタ部１３に印刷させる。再印刷用データの印刷が終了すると、制御部１０の状態は「Ｒｅａｄｙ」状態８１に戻る。
【００７１】
＜印刷途中に第１の枚数に達した場合の状態遷移＞
一つの画像データが複数ページ分のデータからなる場合、印刷途中で印刷枚数が第１の枚数に達すると、印刷途中でトナーカートリッジの消耗度合の状態が「Ｒｅｐｌａｃｅ  Ｔｏｎｅｒ」状態に変化することになる。
【００７２】
そこで、制御部１０は、「Ｒｅａｄｙ」状態８１においてＦＡＸ画像データ以外の画像データの印刷途中で印刷枚数が第１の枚数に達し、「継続」モードが選択された場合は、その印刷が完了すると、「Ｒｅｐｌａｃｅ  Ｔｏｎｅｒ（再印刷データ無）」状態８２に遷移する。
【００７３】
なお、ＦＡＸ画像データの印刷途中で第１の枚数に達し、「継続」モードが選択された場合は、「ＦＡＸ  Ｐｒｉｎｔｉｎｇ」状態８３に遷移し、当該画像データの残りのページ分のデータを「ＦＡＸ  Ｐｒｉｎｔｉｎｇ」状態８３で印刷する。そして、ユーザが画質確認画面で「ＮＧ」を選択するか、又は画質確認画面で「ＯＫ」を選択して削除確認画面で「削除しない」を選択すると、制御部１０は、Ｒｅａｄｙ状態で印刷されたページ分のデータも含めてその画像データを再印刷用データとして記憶部１５に記憶する。
【００７４】
以上、状態８１、８５におけるトナーカートリッジの消耗度合が「Ｒｅａｄｙ」状態に相当する。また、状態７１、７２、及び８２〜８４におけるトナーカートリッジの消耗度合が「Ｒｅｐｌａｃｅ  Ｔｏｎｅｒ（再印刷用データ無）」状態８２または「Ｒｅｐｌａｃｅ  Ｔｏｎｅｒ（再印刷用データ有）」状態８４に相当する。以降、これらを総称して「Ｒｅｐｌａｃｅ  Ｔｏｎｅｒ」状態と記載することが有る。
【００７５】
＜ＦＡＸ受信・印刷処理＞
図３は、図２に示す「ＦＡＸ  Ｐｒｉｎｔｉｎｇ」の処理の流れを示すフローチャートである。本処理は「Ｒｅａｄｙ」状態８１、または「Ｒｅｐｌａｃｅ  Ｔｏｎｅｒ」状態にあるときにＦＡＸ画像データが受信されると開始される。
【００７６】
まず、制御部１０はＦＡＸ部１１により受信されたＦＡＸ画像データを記憶部１５に記憶し（Ｓ１０１）、プリンタ部１３に印刷させる（Ｓ１０２）。ここでは１件分（１ジョブ分）のＦＡＸ画像データが印刷される。
【００７７】
次に、制御部１０はトナーカートリッジが「Ｒｅｐｌａｃｅ  Ｔｏｎｅｒ」状態であるかを判断する（Ｓ１０３）。すなわち、「Ｒｅｐｌａｃｅ  Ｔｏｎｅｒ（再印刷用データ無）」状態８２、または「Ｒｅｐｌａｃｅ  Ｔｏｎｅｒ（再印刷用データ有）」状態８４
にあるかを判断する。
【００７８】
制御部１０は「Ｒｅｐｌａｃｅ  Ｔｏｎｅｒ」状態ではなく、「Ｒｅａｄｙ」状態８１にあると判断した場合（Ｓ１０３：Ｎｏ）、印刷済みのＦＡＸ画像データを記憶部１５から削除する（Ｓ１０５）。
【００７９】
それに対して、制御部１０は「Ｒｅｐｌａｃｅ  Ｔｏｎｅｒ」状態にあると判断した場合（Ｓ１０３：Ｙｅｓ）、記憶部１５に記憶した印刷済みのＦＡＸ画像データに再印刷用データマークをつける（Ｓ１０５）。
【００８０】
次に、制御部１０は記憶部１５に再印刷用データマークつきのＦＡＸ画像データがあるか否かを判断する(Ｓ１０６)。再印刷用データマークつきのＦＡＸ画像データがないと判断した場合（Ｓ１０６：Ｎｏ）、この「ＦＡＸ受信・印刷処理」を終了し、新たなＦＡＸ画像データを受信するまで待機する。
【００８１】
一方、制御部１０は記憶部１５に再印刷用データマークつきのＦＡＸ画像データがあると判断した場合（Ｓ１０６：Ｙｅｓ）、再印刷用データマークつきのＦＡＸ画像データ記憶件数を更新する（Ｓ１０７）。具体的には、制御部１０は再印刷用データマークつきのＦＡＸ画像データの記憶件数を表すカウンタ変数Ｎをカウントする。そして、この「ＦＡＸ受信・印刷処理」を終了し、新たなＦＡＸ画像データを受信するまで待機する。
【００８２】
＜画質確認処理＞
図４は、図２に示す「ＦＡＸ  Ｐｒｉｎｔｉｎｇ」により印刷されたＦＡＸ画像データの画像の画質に対してユーザに確認させる流れを示すフローチャートである（図２の「画質確認」状態７１および「削除確認」状態７２の処理と対応する）。本処理は本処理が実行されていない状態で「ＦＡＸ受信・印刷処理」のＳ１０７にて、再印刷用データマークつきのＦＡＸ画像データ記憶件数Ｎが更新されると開始され、再印刷用データマークつきのＦＡＸ画像データが再印刷用データとして一括保存または一括削除されると終了する。
【００８３】
まず、制御部１０は画質確認画面を表示する（Ｓ２０１）。画質確認画面には、現在記憶部１５に記憶された再印刷用データマークつきのＦＡＸ画像データ記憶件数Ｎと、プリンタ部１３によって最新に印刷されたＦＡＸ画像データの画像は正常に出力がされた否かを確認するメッセージとが表示される。例えば、「Ｎ件の印刷済みＦＡＸをメモリに蓄積しています。最新に印刷されたＦＡＸは読めますか？」のメッセージと、「ＯＫ」および「ＮＧ」といった選択肢とが表示される。
【００８４】
この画質確認画面により画質の確認をする画像は最新に印刷されたＦＡＸ画像データの画像（印刷された１件分のＦＡＸ画像の最終ページの画像）であることがわかる。よって、画質確認の対象の画像はプリンタ部１３により最新に印刷されたＦＡＸ画像データの画像であるといえる。ユーザは操作部１４のタッチパネル、または操作ボタンによって選択肢のいずれかを選択する（画質確認結果を入力する）。
【００８５】
次に、制御部１０は、ユーザが選択肢を選択（画質確認結果を入力）したか否かを判断する（Ｓ２０２）。制御部１０は、選択肢が選択されていないと判断した場合（Ｓ２０２：Ｎｏ）、「ＦＡＸ受信・印刷処理」のＳ１０７にて、再印刷用データマークつきのＦＡＸ画像データ記憶件数Ｎが更新されたか否かを判断する（Ｓ２０３）。
【００８６】
より具体的には、制御部１０は本処理を実行中にカウンタ変数Ｎが更新されたかを監視しており、カウンタ変数Ｎが更新されたと判断した場合（Ｓ２０３：Ｙｅｓ）、画質確認画面を更新する（Ｓ２０１）。すなわち、すでに表示していた画質確認画面の画質確認メ
ッセージを更新する。
【００８７】
具体的には、再印刷用データマークつきのＦＡＸ画像データ記憶件数Ｎの値を、Ｓ１０７で更新された値に合わせて更新する。すると、更新された画質確認画面は、プリンタ部１３により新たに印刷されたＦＡＸ画像データの画像（印刷された１件分のＦＡＸ画像データの最終ページの画像）の画質を確認させるメッセージとなる。すなわち、本実施形態の画質確認の対象は常に最新に印刷されたＦＡＸ画像データの画像である。
【００８８】
一方、制御部１０は、ユーザにより画質確認画面に表示された選択肢が選択された（画質確認結果が入力された）と判断した場合（Ｓ２０３：Ｙｅｓ）、「ＯＫ」が選択されたか否かを判断する（Ｓ２０４）。すなわち、最新に印刷されたＦＡＸ画像データが正常に印刷されたか否かを判断する。「ＯＫ」が選択された場合は正常に印刷されたと判断し（Ｓ２０４：Ｙｅｓ）、操作部１４に削除確認画面を表示する（Ｓ２０５）。例えば、「メモリに蓄積したＦＡＸを消去しますか？」のメッセージと、「削除する」及び「削除しない」といった選択肢とを表示し、記憶部１５に記憶されている全ての再印刷用データマークつきのＦＡＸ画像データを一括削除するかをユーザに選択させる。
【００８９】
制御部１０は、ユーザによって「削除する」が選択された場合（Ｓ２０６：Ｙｅｓ）、記憶部１５に記憶されている全ての再印刷用データマークつきのＦＡＸ画像データを一括削除し（Ｓ２０７）、再印刷データマークつきのＦＡＸ画像データの記憶件数Ｎを０に戻し（すなわち、図２の「Ｒｅｐｌａｃｅ  Ｔｏｎｅｒ（再印刷用データ無）」状態８２に遷移する）、この画質確認処理を終了する。
【００９０】
それに対して、制御部１０は、「ＮＧ」が選択された場合（Ｓ２０４：Ｎｏ）、または、一括削除が選択されていない場合（Ｓ２０６：Ｎｏ）、記憶部１５に記憶されている全ての再印刷用データマークつきのＦＡＸ画像データをそのまま保持し（Ｓ２０８、すなわち、図２の「Ｒｅｐｌａｃｅ  Ｔｏｎｅｒ（再印刷用データ有）」状態８４に遷移する）、この画質確認処理を終了する。
【００９１】
また、制御部１０はトナーカートリッジが新品に交換されるまで、それらの再印刷用データマークつきのＦＡＸ画像データを再印刷用データとして保持し、トナーカートリッジが新品に交換されると、これらの再印刷データを印刷し、記憶部１５から削除し、再印刷データマークつきのＦＡＸ画像データの記憶件数Ｎを０に戻す。なお、制御部１０は、再印刷データマークつきのＦＡＸ画像データの記憶件数Ｎは０に戻さず、図３の「ＦＡＸ受信・印刷処理」における新たなＦＡＸ画像データが受信すると、Ｓ１０７にて記憶件数Ｎを現在の記憶件数から計算する。
【００９２】
なお、前述のＳ２０７にて、ユーザによって「削除する」が選択された場合（Ｓ２０６：Ｙｅｓ）、Ｓ２０７にて一括削除される対象は、今回の画質確認処理を行う以前に、再印刷用データとして保持しているＦＡＸ画像データを含め、記憶部１５に記憶されている全ての再印刷用データマークつきのＦＡＸ画像データとなる。その結果、今までの画質確認処理により累積された再印刷データマークつきのＦＡＸ画像データの記憶件数Ｎを０に戻されることになる。
【００９３】
本実施形態によれば、制御部１０は、最新に印刷されたＦＡＸ画像データの画像の画質が正常であると判断した場合、記憶部１５に記憶された全ての再印刷用データマークつきのＦＡＸ画像データを削除する。これにより、ユーザが一回の画質確認結果を入力するのみで、記憶したＦＡＸ画像データを一括で削除することができ、ユーザの操作の負担を減少させることが可能となる。
【００９４】
また、制御部１０は、最新に印刷されたＦＡＸ画像データの画像の画質が正常ではないと判断した場合、記憶部に記憶された全ての再印刷用データマークつきのＦＡＸ画像データをそのまま再印刷用データとして保持する。これにより、ユーザが一回の画質確認結果を入力するのみで、記憶したＦＡＸ画像データを一括で保持することができ、ユーザの操作の負担を減少させることが可能となる。
【００９５】
また、制御部１０は、ユーザが画質確認結果を入力する前に印刷された最新のＦＡＸ画像データの画像の画質を入力させる。すなわち、本実施形態の画質確認の対象は常に最新に印刷されたＦＡＸ画像データの画像である。これにより、印刷された画像の画質に対して、ユーザによる入力回数をさらに低減させることが可能となる。
【００９６】
（実施形態２）
以下の実施形態２の説明では、複合機１の構成及び機能、「ＦＡＸ受信・印刷処理」（図３）の動作は、Ｓ１０７を除く処理は同様であるため、説明を省略する。
【００９７】
実施形態２において、Ｓ１０７では記憶件数Ｎを更新するとともに、現在記憶部１５に記憶されている再印刷用データマークつきのＦＡＸ画像データのうち、画質確認処理が行われていない未確認件数Ｍを更新する。未確認件数Ｍは後述するＳ３０８又はＳ３０９にて０に初期化され、その後Ｓ１０２でＦＡＸ画像データが１件印刷されるたびにインクリメントされる値である。
【００９８】
図５は、画質確認処理の実施形態２を示すフローチャートである。本処理は本処理を実行していない状態で「ＦＡＸ受信・印刷処理」のＳ１０７にて、再印刷用データマークつきのＦＡＸ画像データ記憶件数Ｎ及び未確認件数Ｍが更新されると開始される。実施形態１の「画質確認処理」（図４）と同じ処理には同様の符号を付し、説明を省略する。
【００９９】
まず、制御部１０は、記憶部１５に記憶された異常出力回数Ｘを初期化する（Ｓ３０１）。異常出力回数Ｘとは、本処理の画質確認画面にて、ユーザが「ＮＧ」と入力した回数を示す。
【０１００】
次に、制御部１０は現在記憶部１５に記憶されている再印刷用データマークつきのＦＡＸ画像データのうち、画質確認処理が行われていない未確認件数Ｍを算出する。ここで、未確認件数Ｍには記憶件数Ｎと同じ値が入力される。そして、画質確認画面に、未確認件数Ｍと、プリンタ部１３によって最新に印刷されたＦＡＸ画像データの画像は正常に出力がされた否かを確認するメッセージを表示する（Ｓ３０２）。例えば、「Ｍ件のメモリに蓄積している印刷済みＦＡＸが未確認です。最新に印刷されたＦＡＸは読めますか？」のメッセージと、「ＯＫ」および「ＮＧ」といった選択肢とが表示される。
【０１０１】
ここで、制御部１０は、最新に印刷されたＦＡＸ画像データの画像の画質として「ＮＧ」（異常出力）が選択されたと判断すると（Ｓ２０４：Ｎｏ）、異常出力回数Ｘをインクリメントする（Ｓ３０３）。
【０１０２】
次に、制御部１０は、異常出力回数Ｘが予め設定された規定回数Ｙを越えるか否かを判断する（Ｓ３０４）。なお、この規定回数Ｙは予め記憶部１５に記憶されているものである。規定回数Ｙの値は、ユーザが設定してもよいし、記憶部１５に記憶されている再印刷用データマークつきのＦＡＸ画像データ記憶件数Ｎに所定の割合を乗算して計算してもよい。その場合、制御部１０はＳ２０４が実行された際に、自動的に規定回数Ｙを計算する。
【０１０３】
制御部１０は、Ｓ３０４にて異常出力回数Ｘが規定回数Ｙを超えると判断した場合（Ｓ３０４：Ｙｅｓ）、記憶部１５に記憶されている全ての再印刷用データマークつきのＦＡＸ画像データをそのまま保持し（Ｓ３０８、すなわち、図２の「Ｒｅｐｌａｃｅ  Ｔｏｎｅｒ（再印刷用データ有）」状態８４に遷移する）、未確認件数Ｍを０に初期化してこの画質確認処理を終了する。
【０１０４】
また、実施形態１と同様に、制御部１０はトナーカートリッジが新品に交換されるまで、それらの再印刷用データマークつきのＦＡＸ画像データを再印刷用データとして保持し、トナーカートリッジが新品に交換されると、これらの再印刷データを印刷し、記憶部１５から削除し、再印刷データマークつきのＦＡＸ画像データの記憶件数Ｎと未確認件数Ｍとを０に戻す。
【０１０５】
一方、制御部１０は異常出力回数Ｘが規定回数Ｙ以下であると判断した場合（Ｓ３０４：Ｎｏ）、当該最新のＦＡＸ画像データをそのまま保持し（Ｓ３０５、すなわち、図２の「Ｒｅｐｌａｃｅ  Ｔｏｎｅｒ（再印刷用データ有）」状態８４に遷移する）、再印刷用データマークつきのＦＡＸ画像データ未確認件数Ｍをデクリメントする。
【０１０６】
次に、制御部１０は、再印刷データマークつきのＦＡＸ画像データのうち、最新のＦＡＸ画像データ（Ｓ３０５で保持したＦＡＸ画像データ）より以前に受信したＦＡＸ画像データがあるか否かを判断する（Ｓ３０６）。
【０１０７】
Ｓ３０６にて、制御部１０は最新のＦＡＸ画像データより以前に受信したＦＡＸ画像データがあると判断した場合（Ｓ３０６：Ｙｅｓ）、新たに画質確認画面を表示する（Ｓ３０７）。ここで、画質確認画面には、Ｓ３０５でデクリメントされた再印刷用データマークつきのＦＡＸ画像データの未確認件数Ｍと、次に新しく印刷されたＦＡＸ画像データの画像の画質を確認する旨とを確認メッセージとして表示する。その結果、次に新しくに印刷されたＦＡＸ画像データの画像（すなわち、１件前に印刷されたＦＡＸ画像データの画像の最終ページ）が画質確認の対象となる。そして、Ｓ２０２に戻る。このように、Ｓ３０３にて異常出力回数Ｘが規定回数Ｙを超えるまで、Ｓ２０２、Ｓ２０４、およびＳ３０３〜Ｓ３０７を繰り返し実行する。
【０１０８】
一方、Ｓ３０６にて、制御部１０は最新のＦＡＸ画像データより以前に受信したＦＡＸ画像データがない場合（Ｓ３０６：Ｎｏ）、この画質確認処理を終了する。
【０１０９】
また、Ｓ２０６において、ユーザによって「削除する」が選択された場合（Ｓ２０６：Ｙｅｓ）、再印刷用データマークつきのＦＡＸ画像データを一括削除する（Ｓ３０９）。一括削除とする対象は、今回の画質確認処理を行う以前に、再印刷用データとして保持しているＦＡＸ画像データを含め、記憶部１５に記憶されている全ての再印刷用データマークつきのＦＡＸ画像データとなる。そして、制御部１０は今まで画質確認処理により累積された再印刷データマークつきのＦＡＸ画像データの記憶件数Ｎと未確認件数Ｍを０に戻し（すなわち、図２の「Ｒｅｐｌａｃｅ  Ｔｏｎｅｒ（再印刷用データ無）」状態８２に遷移する）、この画質確認処理を終了する。
【０１１０】
本実施形態によれば、制御部１０は、複数の再印刷用データマークつきのＦＡＸ画像データが記憶部１５に記憶された場合、最新に印刷されたＦＡＸ画像データの画像の画質が正常ではなくても（異常出力）、それ以前に印刷されたＦＡＸ画像データの画像の画質が正常である可能性が有る。この構成によれば、異常出力回数Ｘが規定回数Ｙを越えるまで最新に印刷されたＦＡＸ画像データの画像から順に遡ってユーザに画質を入力させ、規定回数Ｙを越えると記憶部１５に記憶された全ての再印刷データマークつきのＦＡＸ画像データを保持する。これにより、規定回数Ｙ以内に画質が正常である場合は、画質が正常ではない再印刷データマークつきのＦＡＸ画像データのみを保持するので、
再印刷が必要な再印刷データマークつきのＦＡＸ画像データのみを保持することができる。さらに、画質確認回数は最大でも規定回数Ｙ＋１に抑えることができる。
【０１１１】
（実施形態３）
図６は、画質確認処理の実施形態３を示すフローチャートである。なお、以下の実施形態３の説明では、複合機１の構成及び機能、「ＦＡＸ受信・印刷処理」（図３）の動作は、実施形態２と同様であるため、説明を省略する。
【０１１２】
また、本処理は「ＦＡＸ受信・印刷処理」のＳ１０７にて、再印刷用データマークつきのＦＡＸ画像データ記憶件数Ｎが更新されると開始される。実施形態１及び実施形態２の「画質確認処理」（図４及び図５）と同じ処理には同様の符号を付し、説明を省略する。
【０１１３】
Ｓ３０６でＹｅｓと判断された場合、制御部１０は、再印刷データマークつきのＦＡＸ画像データのうち、最新に印刷されたＦＡＸ画像データが印刷される前に、ＦＡＸ機能以外の機能で印刷した画像データが有るか否かを判断する（Ｓ４０１）。より具体的には、制御部１０は、プリンタ部１３に印刷させるたびに印刷履歴を記憶している。印刷履歴には、１ジョブ毎に機能（ＦＡＸ機能、コピー機能、プリント機能、またはダイレクトプリント機能）、印刷日時などが記憶されている。制御部１０は、印刷履歴に基づいて、再印刷データマークつきのＦＡＸ画像データのうち、一番古く印刷されたＦＡＸ画像データより後であって最新に印刷されたＦＡＸ画像データが印刷される前にＦＡＸ機能以外の機能で印刷した画像データが印刷されたか否かを判断する。
【０１１４】
なぜならば、最新に印刷されたＦＡＸ画像データの画像の画質が「ＮＧ」と選択された（すなわち、画質は異常であると判断された）場合であっても、他の機能で印刷した画像データがある場合は、当該画像データ以前のＦＡＸ画像データの画像の画質は正常である可能性があるからである。
【０１１５】
Ｓ４０１にて、制御部１０は、他の機能により印刷された画像データがあると判断した場合（Ｓ４０１：Ｙｅｓ）、当該画像データ以降に印刷された再印刷データマークつきＦＡＸ画像データをすべて保持する（Ｓ４０２）。
【０１１６】
次に、他の機能により印刷された画像データ以前に印刷された再印刷データマークつきのＦＡＸ画像データのうち、最新に印刷されたＦＡＸ画像データ以前のＦＡＸ画像データの画像の画質を再度確認する（Ｓ４０３）。そしてＳ２０２の処理に戻る。このように、Ｓ３０６でＹｅｓと判断された場合、Ｓ４０１にてＦＡＸ画像データが印刷される前にＦＡＸ機能以外の機能で印刷した画像データがなくなるまで、Ｓ２０２、Ｓ２０４、Ｓ３０５、Ｓ３０６、Ｓ４０１〜Ｓ４０３の処理を繰り返し実行する。
【０１１７】
Ｓ４０１にて、制御部１０は、他の機能により印刷された画像データがないと判断した場合（Ｓ４０１：Ｎｏ）、Ｓ３０８に進み、この画質確認処理を終了する。
【０１１８】
本実施形態によれば、制御部１０は、記憶部１５に複数記憶された再印刷データマークつきのＦＡＸ画像データのうちの最新に印刷されたＦＡＸ画像データの画像の画質が正常ではない場合であっても、最新に印刷されたＦＡＸ画像データより以前にＦＡＸ画像以外の画像データが印刷された場合は、次に印刷されたＦＡＸ画像データの画像の画質が正常である可能性がある。よって、当該ＦＡＸ画像以外の画像データより以前に受信したＦＡＸ画像データに対して画質確認を行う必要がある。これにより、再印刷をする必要のある再印刷データマークつきのＦＡＸ画像データのみ保持されるため、記憶部１５の容量を効率的に使用することが可能となる。
＜他の実施形態＞
本発明は上記記述及び図面によって説明した実施形態に限定されるものではなく、例えば次のような実施形態も本発明の技術的範囲に含まれる。
【０１１９】
上記実施形態ではトナーを用いて印刷するプリンタ部１３を例に説明したが、プリンタ部１３は、着脱可能に装着されているインクカートリッジに収容されているインクを用いて被記録媒体にインクジェット方式で画像を印刷するものであってもよい。
【０１２０】
上記実施形態では黒色のトナーを用いて印刷するプリンタ部１３を例に説明したが、例えばＣＭＹＫ４色のトナーを用いてカラー印刷するものであってもよい。その場合は、例えばいずれかのトナーカートリッジが第１の枚数に達した時点で「Ｒｅｐｌａｃｅ  Ｔｏｎｅｒ」状態であると判断してもよいし、黒色のトナーを収容するトナーカートリッジの消耗度合のみで判断してもよい。
【０１２１】
上記実施形態では印刷装置として複合機を例に説明したが、ＦＡＸ機能のみを備えるＦＡＸ装置であってもよい。
【０１２２】
上記実施形態のＦＡＸ部１１は、公衆交換電話網を介して外部のＦＡＸ装置との間で画像データをＦＡＸ送受信するが、オプションボードを追加することによって、通信ネットワークに接続し、通信ネットワークに接続されたパソコンからの画像データを受信することができる。また、このようなＦＡＸ装置をメールクライアントとすることにより、電子メールを利用したインターネットＦＡＸを受信することができるＦＡＸ機能を有する印刷装置であってもよい。
【０１２３】
実施形態１〜３において、Ｒｅｐｌａｃｅ  Ｔｏｎｅｒ状態にあるときに最新に印刷されたＦＡＸ画像データの画像が正常に出力された場合、記憶部１５に記憶された再印刷用データマークつきのＦＡＸ画像データを全て削除するが、前回の画質確認処理にて再印刷用データとして保持されたＦＡＸ画像データを削除対象から除外してもよい。例えば、Ｓ２０８またはＳ３０８の処理において、再印刷データとして保持するものに対して、画質確認処理済みマークをつける。そして、次回の画質確認処理にてＳ２０７またはＳ３０９で一括削除する場合は、画質確認処理済マークがついていない再印刷データマークつきのＦＡＸ画像データのみを削除すればよい。
【０１２４】
その他、Ｓ２０８またはＳ３０８の処理において、再印刷データとして保持されるＦＡＸ画像データは、画質確認処理が行われていないＦＡＸ画像データ（記憶部１５）と異なる領域（例えば、ＲＡＭや複合機１に接続されたサーバ、複合機１に複数の記憶部を持つ場合は他の記憶部）に記憶してもよい。そして、次回の画質確認処理にてＳ２０７またはＳ３０９で一括削除する場合は、記憶部１５に記憶されている再印刷データマークつきのＦＡＸ画像データのみを削除すればよい。これにより、前回の画質確認結果により、再印刷データとして保持されたＦＡＸ画像データを削除対象から除外することで、確実に印刷し直すことが可能となる。
【０１２５】
実施形態１〜３において、受信したＦＡＸ画像データ（まだ印刷されていないＦＡＸ画像データ）、印刷されたＦＡＸ画像データ、再印刷データマークつきのＦＡＸ画像データ、および再印刷データとして保持されたＦＡＸ画像データは、全て記憶部１５に記憶されるが、少なくともいずれか１つのＦＡＸ画像データは記憶部１５とは異なる領域（例えば、ＲＡＭや複合機１に接続されたサーバ、複合機１に複数の記憶部を持つ場合は他の記憶部）に記憶されてもよい。
【０１２６】
実施形態１〜３において、画質確認処理はＲｅｐｌａｃｅ  Ｔｏｎｅｒ状態にあるときに印刷されたＦＡＸ画像データを対象としていたが、「Ｒｅａｄｙ」状態８１で印刷されたＦＡＸ画像データについても、同様に画質確認処理を行ってもよい。
【０１２７】
実施形態１〜３において、Ｒｅｐｌａｃｅ  Ｔｏｎｅｒ状態にあるときに最新に印刷されたＦＡＸ画像データの画像が正常に出力されていないと判断した場合、（新品のカードリッジが交換されるまで）当該ＦＡＸ画像データより以降に受信したＦＡＸ画像データの画像に対して、画質確認処理（図４〜図６）を行わず、そのまま再印刷用データとして保持してもよい。ここで、画質確認画面には「Ｎ件のＦＡＸをメモリに蓄積しています」のみを表示すればよい。前回の画質確認処理によりすでに印刷された画像がかすれているので、それ以降に印刷された画像もかすれると想定できる。このような場合に、ユーザに画質確認結果を入力させないので、さらにユーザの操作の負担を減少させることが可能となる。
【符号の説明】
【０１２８】
１・・・・複合機
３・・・・被記録媒体
１０・・・制御部
１１・・・ファクシミリ部
１２・・・スキャナ部
１３・・・プリンタ部
１４・・・操作部
１５・・・記憶部
１６・・・ＵＳＢインタフェース
１７・・・ネットワークインタフェース
【図１】
0005158169.tif 000002
【図２】
0005158169.tif 000003
【図３】
0005158169.tif 000004
【図４】
0005158169.tif 000005
【図５】
0005158169.tif 000006
【図６】
0005158169.tif 000007